(57)【要約】      （修正有）【課題】可能な限り、環境にやさしく、安全に、安価に、安定した電気を得る器具。【解決手段】磁束線１５が好む場の中に、フィールド内部導体２、１７の低い場を置き、次々とフィールド内部導体２、１７の中に入り込んだ磁束線１５の作用で、フィールド内部導体２、１７の内部では伝搬現象が発生し、フィールド内部導体２の表面付近で電荷を帯びた電子１６の凝集が誘発され、フィールド内部導体２、１７外周部付近では、磁束線１５が密となり、フィールド内部導体２、１７はエネルギー位置の高い場に変化する。直接磁束線１５の影響を受けない、外部にフィールド内部導体２、１７に接続された放磁フィルム層８が更に低い位置にある為、フィールド内部導体２、１７外部で密に成った（磁束線１５単体にも固有のモーメントがある為）磁束線１５が一斉にフィールド内部導体２、１７内に侵入し、磁束線１５が初期の場に戻り、これを一つのサイクルとした。その為フィールド内部導体２、１７の帯電された電子１６は一斉に放磁フィルム層８に移動し、フィールド内部導体２、１７全体を覆う薄い絶縁体のフィルム７を返し、隣接した出力コイル１１、１２に誘導電流が発生する。【選択図】図１
2005012984.tif 000002
【特許請求の範囲】
【請求項１】
常温域での、ファラデーの法則を用いない、固定されたマグネットと磁力が作用する固定された導体による、発電法。
【発明の詳細な説明】
【０００１】（発明の属する技術分野）
この発明は、全く新しい起電法であり、まだ研究段階の常温電池は弱電では有るが、補佐的に使用する素子の劣化を除けば長期間に渡り（磁気モーメントがずれて消磁してしまう為）、安価な電気を得る事が出来る器具です。
【０００２】（従来の技術）
従来、電気エネルギーを得るには、大きく分けると化学反応で起電する方法と、化石燃料などを用いた起電方法があります。
燃料を用いた起電方法で代表的な、火力、原子力、内燃機などを使い発電機を回し起電する方法がありますが、化石燃料の枯渇、酸化物、放射線、廃棄物など様々な問題を抱えています。
その為、自然エネルギーなど今日注目を集めていますが、耐久面、安定供給、自然破壊などの問題が起きています。
科学反応の分野では、電池（バッテリ）などがありますが、充電式電池などは、化石燃料の延長にすぎません。
又原子力発電法も、金属を劣化させてしまう為、耐久性の面と廃棄物処理の大きな問題を抱えています。
極低温域で超電導を用いた起電方法も存在しますが、発生エネルギーよりも、冷却に用いられるエネルギーが大きい為、実用化にはまだ相当の研究と時間を要します。
【０００３】（発明が解決しょうとする課題）
今日まで（ファラデーと保存則の関係から）、不可能とされてきた、運動エネルギーを用いない常温域でのマグネットから発生する磁気エネルギーを直接電気エネルギーに、変換する事が出来れば周辺自然環境にやさしく、安全に、安価に、安定した電気を得る事が出来ると考え、研究を開始した。
（エネルギー保存の法則から）すべてのエネルギーには、低い場を好み変化して行く性質が有り、エネルギーの位置が高い、電気エネルギーよりは、熱、よりは重力と、その場を好み変化する、又磁気エネルギーも同じ性質である。
磁気の性質と現象から、↑（アップ）電子スピン又は↓（ダウン）電子スピンのスピンフリップタイムの拡散距離延長は可能か、外部磁場に敏感に反応する磁気モーメントは、変化する際発生する電子電流を利用出来ないか、又この共鳴現象を有効に他の物質に作用させる事は可能か、磁気エネルギーが好む場（ｆｉｅｌｄ）は電気エネルギーで言うところの放電現象とほぼ同じ放磁現象を促進発生させ、そして極低温域における起電導のジョセフソン電流など、電子の振る舞いと似た現象を常温域で再現出来ないか実験を重ね、（アクチノイド系を除く）半導体結晶などを含む様々な素材、皮膜（フィルム）形状との組み合わせで終に半導体を含む導体内部電気抵抗に打ち勝ち、ボルタやファラデーの法則とは異なる起電の法則を常温域で達成出来ました。
【０００４】（課題を解決する為の手段）
マグネット（永久磁石）から発生する磁気エネルギーが好む場を作り、その場を任意のタイミングで変化する様にすれば、電子（粒子）の移動が起こり、その移動する為のエネルギーを電気として取り出せれば、１００パーセント以上の効率が得られる。
発電法は、今までの起電概念とは異なり、４から発生する１５の好む場の中に、電子スピンが対をなしていない、５を置き、その２に次々と入り込んだ電子磁気には、質量がある為、慣性の動的エネルギーが働き磁性体内に拡散し（フィールドコイルを構成する静的エネルギーの逆向きの力が働き、原子核、↑又は↓電子スピンに作用し電荷を持った１６はフィールドコイル内に伝搬現象が起こる）、そして１５は減磁してしまう。
その為（強磁性体内の導体がエネルギーの位置が同じ位置に近づいた為に）、２に入り込み難くなった外部磁場の影響で（２外部表面で密と成る為）、導体表面の電子の凝集が誘発され２は、内部構成材と３表面層の間に電子が帯電され飽和状態となる。
１５の影響を直接受けない、外部に配置接続された８から、２内の１６を補う電荷を持った１６が２に移動して来る。
電荷を持った１６が５内を満たしきるその時に（５と６の位置エネルギーのバランスが崩れる時）、調整された（共鳴同調をした）、位置エネルギーの低い場に変化したすなわち、６に１６が一斉に移動し放電又は放磁され（２の３外側に密に成っている１５が一斉に２に流れ込み）、５内の場は、位置エネルギーの低い状態に戻り、これを一つのサイクルとした。
５内で、電荷を持った１６の移動が起こる為５外部に隣接した１１、１２に作用し、５と隔てる薄い７を返して、１１、１２に誘導電流が発生する。（図１、６参照）
【０００５】（発明の実施の形状）
実験器の構造は、磁力に作用する半導体を含む導体を（温度、外部磁場で起電効率が敏感に変化してしまう為。）半固定式の１０とし、１５を導体に直接作用させ起電出力を発生させるブロックを組み合わせた物にして、それを集めてユニット化した構造とした。
この構造の為、外部入力をまったく必要とせず、半導体分質と補佐に取り付けた素子の劣化を除けば、動的の運動エネルギーなどを用いない為、磨耗する部品は少なく耐久性が長いのが特徴です。（図２〜６参照）
起動実験結果
●  １５を作用させる部材面に、３した結果、皮膜の厚さで起電効率の変化が確認された。
（図１のグラフ右側の表面層で、帯電効率の変化が確認された）
表面層の厚さを変化させると、しない場合より効率が上がり、厚すぎると効率が低下する。
その為、１５が２、１７に侵入出来難くなると推測される。
●  ４、５、６、８、１１、１２、の観測結果で、ジュール熱は観測されなかった。
●  観測開始７２時間後、起電効率の向上が観測された。
５、８、構成材原子間で、自由電子の移動しやすい道と似た物が形成されたと推測される。
●  実験器に４の希少マグネットを使用した為、＋８０数℃以上では減磁してしまい起電現象は確認されなかった。Ｂａ，Ｓｒ，Ｆｅ，系マグネットを用いれば、＋１００℃以上の起電が可能であるが、その場合、効率の低下は避けられないと推測される。
●  本体温度＋２５℃で、１ブロックＤＣ０．６４２８〜０．２５４３Ｖ個数倍の起電を確認出来ましたが、研究費次第では１ユニット当り簡単に数十Ｖの起電が可能と推測される。
今現在の実験機から出力される交流電流（１ブロックの大きさが異なる為、出力はノイズに近い）が、一般に市販されている電化製品に適合しない為、弱電で有利な直流電流に整流した為、素子の内部抵抗と漏れ電流などで、全体として効率が低下してしまった。
今後は本体の出力向上と、ロス低減が是からの研究課題です。
ユニットを製作してしまえば、実験器は出力のみで外部入力が不要なのでエネルギー保存則と矛盾しますが、１５を製造中に外部から飽和磁化付近まで磁力を加え、磁化させ製作しますがエネルギーをその時点で加えるという観点からは、矛盾しない事になり疑問です。
以上の事柄から、ＱＥＤ（量子電磁力学）理論で証明できるか不明です。
【０００６】（発明の効果）
この簡単な器具の普及で、周辺環境が変化する事を期待します。
【図面の簡単な説明】
【図    １】断面図、グラフ
【図    ２】断面図
【図    ３】部分拡大図
【図    ４】部分拡大図
【図    ５】全断面図
【図    ６】断面図、配線図
【符号の説明】
１、容器本体上部のフタ
２、フィールド内部導体（元素の３ｄ、４ｆ群系を含む、強磁性体の導体）
３、半導体を含む表面コーティング
４、マグネット、（元素Ｎｄ２Ｆｅ１４Ｂ）又は、Ｓｍ２（ＣｏＦｅ−ＣｕＺｒ）１７ＢＨｍａｘ４９などを推奨
５、フィールドコイル、２番、３番、７番を合わせた構成部材で案件ではリング形状。（４を覆う様にカバー形状でも作用は同じ）
（電子が自由に振る舞える場、Ｆｉｅｌｄ）
６、放電、放磁フィルムＡｓｓｙ、（導体表面積を稼ぐ為に導体を薄く延ばした８番フィルム層と９番クリアランス「透き間」を束ねた構成部材）
７、薄い絶縁体のフィルム
８、放磁フィルム層、（案件ではスペースを稼ぐ為に、断面が板状であるが、断面が円の棒又は、コイル形状でも同じに作用する。）
９、プラスックなどの絶縁体で仕切られた、透き間。
１０、アジャストスクリュー、（磁力微調整用に設けたネジ。）
１１、Ｆ側の出力コイル
１２、Ｇ側の出力コイル
１３、容器本体の外壁板
１４、容器外部に磁力が漏れ出さない為に、設けた反磁性体のフィルム
１５、磁束線（磁力線）
１６、電荷を帯びた電子（粒子）
１７、効率を高める為に、１５が作用する板状形体にした場合の２。
１８、グラフ、６の効率での変化率
１９、グラフ、７の３層の厚さでの変化率
【図１】
2005012984.tif 000003
【図２】
2005012984.tif 000004
【図３】
2005012984.tif 000005
【図４】
2005012984.tif 000006
【図５】
2005012984.tif 000007
【図６】
2005012984.tif 000008